(57)【要約】【課題】  本発明は、地震等によって左右の建物が左右方向に揺れ動いても、目地カバーや天井材が傷ついたり変形してしまう等の不具合がなく、スムーズにその揺れ動きを吸収することができる天井用目地カバー装置を得るにある。【解決手段】  目地部を介して建てられた左右の建物の一方の建物の天井部位の躯体に取付けられた天井材と対向する、前記左右の建物の他方の建物の躯体に配された目地カバーと、この目地カバーを上方に移動可能に取付けた、前記他方の建物の躯体に取付けられた目地カバー保持装置と、前記目地カバーおよび前記天井材よりも上方に前後方向に配設された、前記一方の建物の天井部位の躯体に取付けられたガイドアーム押し上げ具と、先端部が前記ガイドアーム押し上げ具と対向する部位に配され、後端部が前記目地カバーに一体形成あるいは固定されたガイドアームとで天井用目地カバー装置を構成している。【選択図】  図２
2005146696.tif 000002
【特許請求の範囲】
【請求項１】
目地部を介して建てられた左右の建物の一方の建物の天井部位の躯体に取付けられた天井材と対向する、前記左右の建物の他方の建物の躯体に配された目地カバーと、この目地カバーを上方に移動可能に取付けた、前記他方の建物の躯体に取付けられた目地カバー保持装置と、前記目地カバーおよび前記天井材よりも上方に前後方向に配設された、前記一方の建物の天井部位の躯体に取付けられたガイドアーム押し上げ具と、先端部が前記ガイドアーム押し上げ具と対向する部位に配され、後端部が前記目地カバーに一体形成あるいは固定された、地震等によって前記目地部が狭くなった場合には、前記ガイドアーム押し上げ具によって上方へ押し上げられ、前記目地カバーを前記天井材と接触しないように上方へ移動させることができるガイドアームとからなることを特徴とする天井用目地カバー装置。
【請求項２】
目地部を介して建てられた左右の建物の一方の建物の天井部位の躯体に取付けられた天井材と対向する、前記左右の建物の他方の建物の躯体に配された目地カバーと、前記他方の建物の躯体の前記目地カバーの上方の前後方向に固定されたガイドレール、このガイドレールにスライド移動可能に取付けられた、前記目地カバーを上方に移動可能に取付けた移動体とを備えた目地カバー保持装置と、前記目地カバーおよび前記天井材よりも上方に前後方向に配設された、前記一方の建物の天井部位の躯体に取付けられたガイドアーム押し上げ具と、先端部が前記ガイドアーム押し上げ具と対向する部位に配され、後端部が前記目地カバーに一体形成あるいは固定された、地震等によって前記目地部が狭くなった場合には、前記ガイドアーム押し上げ具によって上方へ押し上げられ、前記目地カバーを前記天井材と接触しないように上方へ移動させることができるガイドアームとからなることを特徴とする天井用目地カバー装置。
【発明の詳細な説明】
【技術分野】
【０００１】
本発明は、目地部を介して建てられた左右の免震建物の天井部位の目地部を覆う天井用目地カバー装置に関する。
【背景技術】
【０００２】
従来、左右の建物の一方の建物の躯体に、天井の目地部を覆う目地カバーの先端部を上方に回動可能に取付けるとともに、この目地カバーの先端部を、前記左右の建物の他方の建物の天井部位の躯体に取付けられた天井材の一端部に摺動可能に当接させて、左右方向の伸縮動を吸収させるように構成している。
【０００３】
従来の天井用目地カバー装置は、構造が簡単で、容易に設置することができる点で有用性はあるが、激しい地震等の揺れ動きによって左右の目地部が狭くなったり広くなったりを繰り返した場合、目地カバーと天井材の当接箇所が傷がついたり、衝突によって変形してしまう等の欠点があった。このため、一度地震が生じた後には、新たな目地カバーや天井材に取り替えなければならず、不経済であるという欠点があった。
【特許文献１】特開２０００−２４０１７６
【発明の開示】
【発明が解決しようとする課題】
【０００４】
本発明は以上のような従来の欠点に鑑み、地震等によって左右の建物が左右方向に揺れ動いても、目地カバーや天井材が傷ついたり変形してしまう等の不具合がなく、スムーズにその揺れ動きを吸収することができる天井用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、目地部を介して建てられた左右の建物の一方の建物の天井部位の躯体に取付けられた天井材と対向する、前記左右の建物の他方の建物の躯体に配された目地カバーと、この目地カバーを上方に移動可能に取付けた、前記他方の建物の躯体に取付けられた目地カバー保持装置と、前記目地カバーおよび前記天井材よりも上方に前後方向に配設された、前記一方の建物の天井部位の躯体に取付けられたガイドアーム押し上げ具と、先端部が前記ガイドアーム押し上げ具と対向する部位に配され、後端部が前記目地カバーに一体形成あるいは固定された、地震等によって前記目地部が狭くなった場合には、前記ガイドアーム押し上げ具によって上方へ押し上げられ、前記目地カバーを前記天井材と接触しないように上方へ移動させることができるガイドアームとで天井用目地カバー装置を構成している。
【発明の効果】
【０００７】
以上の説明から明らかなように、本発明にあっては次に列挙する効果が得られる。
【０００８】
（１）目地部を介して建てられた左右の建物の一方の建物の天井部位の躯体に取付けられた天井材と対向する、前記左右の建物の他方の建物の躯体に配された目地カバーと、この目地カバーを上方に移動可能に取付けた、前記他方の建物の躯体に取付けられた目地カバー保持装置と、前記目地カバーおよび前記天井材よりも上方に前後方向に配設された、前記一方の建物の天井部位の躯体に取付けられたガイドアーム押し上げ具と、先端部が前記ガイドアーム押し上げ具と対向する部位に配され、後端部が前記目地カバーに一体形成あるいは固定された、地震等によって前記目地部が狭くなった場合には、前記ガイドアーム押し上げ具によって上方へ押し上げられ、前記目地カバーを前記天井材と接触しないように上方へ移動させることができるガイドアームとで構成されているので、地震等によって左右の建物が異なる左右方向に揺れ動き、目地部が広くなると目地カバーと天井材とが離間し、狭くなるとガイドアームがガイドアーム押し上げ具によって上方へ押し上げられて前記目地カバーの先端部が上方に回動して、その揺れ動きを効果的に吸収することができる。
【０００９】
（２）前記（１）によって、目地カバーを天井材とは非接触状態で上方に回動させることができるので、左右の建物が異なる左右方向に揺れ動いた場合、目地カバーと天井材が接触したり衝突することなくその揺れ動きを効果的に吸収することができる。
したがって、目地カバーや天井材が傷ついたり変形したりする等の不具合を確実に回避することができる。
【００１０】
（３）前記（１）によって、目地カバーと天井材との設置状態に影響されることなく、確実に地震等の揺れ動きを吸収することができる。
【００１１】
（４）前記（１）によって、構造が簡単であるので、容易に設置することができる。
したがって、安価に設置することができる。
【００１２】
（５）請求項２も前記（１）〜（４）と同様の効果が得られるとともに、目地カバーは、目地カバー保持装置によって、左右の建物の他方の建物の躯体に前後方向にスライド移動可能に取付けられているので、左右の建物が異なる前後方向に揺れ動いた場合、目地カバーは一方の建物の壁面の前後方向の移動に応じて前後方向にスライド移動することができる。
したがって、左右の建物が異なる前後方向に揺れ動いても、損傷するのを確実に阻止することができる。
【発明を実施するための最良の形態】
【００１３】
以下、図面に示す本発明を実施するための最良の形態により、本発明を詳細に説明する。
【００１４】
図１ないし図１０に示す本発明を実施するための最良の第１の形態において、１は、目地部２を介して建てられた左右の建物３、３の天井部位の目地部２を覆う本発明の天井用目地カバー装置で、この天井用目地カバー装置１は、前記左右の建物３、３の一方の建物３の天井部位の躯体３ａに取付けられた天井材４の傾斜面４ａと若干の隙間を介して対向する、逆傾斜面５ａが形成された、前記左右の建物３、３の他方の建物３の躯体３ｂに配された目地カバー本体５、この目地カバー本体５の後端部に所定間隔離間されて複数箇所、本形態では３箇所に、溶接、ビス固定等によって一体形成されて立設された、上面部に後述するボルト状の抜け脱防止シャフト６の固定部７が形成されたスライド用柱部材８とからなる目地カバー９と、前記他方の建物３の躯体３ｂの前記目地カバー９の上方の前後方向に複数のビス等によって固定された、内定部に複数個のガイドローラ１０が固定された、略Ｊ字型鋼形状に形成されたガイドレール１１、このガイドレール１１の複数個のガイドローラ１０上に配設されてスライド移動可能に取付けられた、前記目地カバー９のスライド用柱部材８、８、８を上方に移動可能に取付けた移動体１２、この移動体１２の上部を抜け脱不能に覆い、前記ガイドレール１１を介して前記他方の建物３の躯体３ｂに複数のビス等によって固定された抜け脱防止用レール１３とを備えた目地カバー保持装置１４と、前記目地カバー９および前記天井材４よりも上方に前後方向に配された、両端部が前記一方の建物３の天井部位の躯体３ａの外壁下面に固定された前後の吊り下げ部材１５、１５に固定された、金属パイプ、カーボンファイバーを用いた強化プラスチックバー等で形成されたガイドアーム押し上げ具１６と、先端部が前記ガイドアーム押し上げ具１６と対向する部位に配され、後端部が前記目地カバー９に一体形成された、地震等によって前記目地部２が狭くなった場合には、前記ガイドアーム押し上げ具１６によって上方へ押し上げられ、前記目地カバー９を前記天井材４と接触しないように上方へ移動させることができるガイドアーム１７とで構成されている。
【００１５】
前記目地カバー保持装置１４の移動体１２は、ガイドレール１１のガイドローラ１０上に配されてスライド移動可能に取付けられた、金属角パイプ等で形成されたバー部材１８と、このバー部材１８の上面の前記目地カバー９のスライド用柱部材８、８、８と対応する部位に溶接等によって固定された、縦長逆Ｌ字形状の保持バー１９、１９、１９と、この保持バー１９の下端部に一体形成された、前記目地カバー９のスライド用柱部材８の先端部が上下方向にスライド移動可能に挿入された、天井板上面に前記スライド用シャフト６が挿入されるスライド孔２０が形成されたガイド筒２１と、このガイド筒２１のスライド孔２０に挿入され、先端部が前記目地カバー９のスライド用柱部材８に固定された、当該目地カバー９の下方への抜け脱を防止する抜け脱防止シャフト６と、前記ガイド筒２１の前記他方の建物３の躯体３ｂ側の側面に固定された球状のローラ２２とで構成されている。
【００１６】
前記ガイドアーム１７は、図２および図６に示すように、後端部が前記目地カバー９のスライド用柱部材８に溶接等によって一体形成され、略水平に配設されたアーム本体２３と、このアーム本体２３の先端部上方に突出された、下面が前記目地カバー９の目地カバー本体５の傾斜面５ａの傾斜角度よりも少なくとも小さくならない傾斜角度となる傾斜面２４ａで形成された傾斜片２４とで構成されている。
【００１７】
上記構成の天井用目地カバー装置１は、通常の状態では図１および図２に示すように天井用目地部２が目地カバー９で覆われている。
地震等によって左右の建物３、３が異なる左右方向に揺れ動き、天井目地部２が広がった場合、図８に示すように目地カバー９の先端部と天井材４の一端部とは離間状態となり、天井目地部２が狭くなった場合には、図９に示すようにガイドアーム１７の傾斜片２４が前記ガイドアーム押し上げ具１６によって上方へ押し上げられるように作用し、これにより前記目地カバー９のスライド用柱部材８が前記目地カバー保持装置１４のガイド筒２１内を上方に移動してその揺れ動きを吸収する。
【００１８】
なお、この場合、ガイドアーム１７の傾斜片２４の傾斜面２４ａは、前記目地カバー９の先端部に形成された傾斜面５ａよりも傾斜角度が少なくとも小さくならない角度で形成されているので、前記ガイドアーム１７が上方に押し上げられる際の目地カバー９の先端部は、前記天井材４の一端部と干渉しない状態、すなわち、非接触状態で上方にスムーズに回動される。
【００１９】
また、左右の建物３、３が異なる前後方向に揺れ動いた場合、図１０に示すように、目地カバー９の先端部が一方の建物３の両側壁３ｃ、３ｃによって、該一方の建物３の揺れ方向に移動する。この場合、目地カバー９の後端部は目地カバー保持装置１４の移動体１２を介して他方の建物３の外壁面の躯体３ｂに固定されたガイドレール１１にスライド移動可能に取付けられているため、同方向に移動し、その揺れ動きを吸収することができる。
{発明を実施するための異なる形態}
【００２０】
次に、図１１ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１１ないし図１４に示す本発明を実施するための第２の形態において、前記本発明を実施するための最良の第１の形態と主に異なる点は、ガイドレール１１Ａの複数のガイドローラ１０上に配設された、上面の所定間隔離間された部位にスライドガイド用となる抜け脱防止用シャフト６Ａ、６Ａ、６Ａが固定されたバー部材１８Ａを備えた移動体１２Ａを用いるとともに、この移動体１２Ａのバー部材１８Ａの抜け脱防止用シャフト６Ａが挿通されるスライド孔２５が上端部に形成された、下端部が前記目地カバー本体５の後端部に溶接等によって一体形成され、下方にガイドアーム１７が一体形成された、略縦長逆Ｌ字形状のスライド用バー部材２６を用いた点で、このようなスライドバー部材２６、２６、２６を構成した目地カバー９Ａおよび前記バー部材１８Ａを構成した目地カバー保持装置１４Ａを備えた天井用目地カバー装置１Ａにしても前記本発明を実施するための最良の第１の形態と同様の作用効果が得られる。
【００２２】
図１５ないし図１９に示す本発明を実施するための第３の形態において、前記本発明を実施するための最良の第１の形態と主に異なる点は、目地カバー９の先端部の傾斜面５ａの傾斜角度よりも少なくとも小さくならない傾斜角度となる傾斜面１６ａ、およびこの傾斜面１６ａの先端部に水平方向に突設された先端保持片１６ｂを構成した、ステンレス、ステンレス合金、アルミ合金等のフレーム材で形成されたガイドアーム押し上げ具１６Ａを用いるとともに、このガイドアーム受け具１６Ａの傾斜面１６ａおよび先端保持片１６ｂに先端部および先端部寄りの部位が当接された、傾斜片２４を形成せずに形成したガイドアーム１７Ａを用いて構成した点で、このようなガイドアーム１７Ａおよびガイドアーム押し上げ具１６Ａを構成した天井用目地カバー装置１Ｂにしても前記本発明を実施するための最良の第１の形態と同様の作用効果が得られる。
【００２３】
なお、前記本発明を実施するための各形態において、ガイドアーム押し上げ具１６、１６Ａと、ガイドアーム１７、１７Ａとが当接されて揺れ動きを吸収する箇所としては、図示された箇所に限らず、例えば、目地カバー９、９Ａの目地カバー本体５の上方位置で行うように構成する等、目地カバー９、９Ａを前記天井材４と非接触状態で上方に回動させることができる箇所であれば、どの箇所で行うように構成してもよい。
【００２４】
また、前記本発明を実施するための各形態において、ガイドアーム１７、１７Ａは、目地カバー９、９Ａのスライド用柱部材８あるいはスライド用バー部材２６に溶接等によって一体形成されたものについて説明したが、本発明はこれに限らず、例えば、ガイドアーム１７、１７Ａを、目地カバー９、９Ａにボルト、ナット等で固定してもよい。
【産業上の利用可能性】
【００２５】
本発明は天井用目地カバー装置を生産する産業で利用される。
【図面の簡単な説明】
【００２６】
【図１】本発明を実施するための最良の第１の形態の設置状態の底面図。
【図２】図１の２−２線に沿う断面図。
【図３】図２の３−３線に沿う断面図。
【図４】本発明を実施するための最良の第１の形態のガイドレールの説明図。
【図５】本発明を実施するための最良の第１の形態の移動体の説明図。
【図６】本発明を実施するための最良の第１の形態の目地カバーおよびガイドアームの説明図。
【図７】本発明を実施するための最良の第１の形態のガイドアーム受け具の説明図。
【図８】天井目地部が広がった状態の説明図。
【図９】天井目地部が狭くなった状態の説明図。
【図１０】異なる前後方向に揺れ動いた場合の説明図。
【図１１】本発明を実施するための第２の形態の設置状態の底面図。
【図１２】図１１の１２−１２線に沿う断面図。
【図１３】本発明を実施するための第２の形態の移動体、目地カバーおよびガイドアームの説明図。
【図１４】天井目地部が狭くなった状態の説明図。
【図１５】本発明を実施するための第３の形態の設置状態の底面図。
【図１６】図１５の１６−１６線に沿う断面図。
【図１７】本発明を実施するための第３の形態のガイドアームの説明図。
【図１８】本発明を実施するための第３の形態の目地カバーおよびガイドアームの説明図。
【図１９】天井目地部が狭くなった状態の説明図。
【符号の説明】
【００２７】
１、１Ａ、１Ｂ：天井用目地カバー装置、
２：目地部、                    ３：建物、
４：天井材、                    ５：目地カバー本体、
６、６Ａ：抜け脱防止用シャフト、７：固定部、
８：スライド用柱部材、          ９：目地カバー、
１０：ガイドローラ、            １１、１１Ａ：ガイドレール、
１２、１２Ａ：移動体、          １３：押さえ用レール、
１４、１４Ａ：目地カバー保持装置、
１５：吊り下げ部材、            １６、１６Ａ：ガイドアーム押し上げ具、
１７、１７Ａ：ガイドアーム、    １８、１８Ａ：バー部材、
１９：保持バー、                ２０：スライド孔、
２１：ガイド筒、                ２２：球状のローラ
２３：アーム本体、              ２４：傾斜片、
２５：挿通孔、                  ２６：スライド用バー部材。
【図１】
2005146696.tif 000003
【図２】
2005146696.tif 000004
【図３】
2005146696.tif 000005
【図４】
2005146696.tif 000006
【図５】
2005146696.tif 000007
【図６】
2005146696.tif 000008
【図７】
2005146696.tif 000009
【図８】
2005146696.tif 000010
【図９】
2005146696.tif 000011
【図１０】
2005146696.tif 000012
【図１１】
2005146696.tif 000013
【図１２】
2005146696.tif 000014
【図１３】
2005146696.tif 000015
【図１４】
2005146696.tif 000016
【図１５】
2005146696.tif 000017
【図１６】
2005146696.tif 000018
【図１７】
2005146696.tif 000019
【図１８】
2005146696.tif 000020
【図１９】
2005146696.tif 000021